(57)【特許請求の範囲】
【請求項１】
上面に開口を設けた環状頭部を有し供給されるガスと燃焼用空気を混合するバーナボディと、
前記バーナボディの環状頭部に着脱自在に取り付け、
一端を他端面より上方に突出させた断面形状を有する炎口Ａを中心側に向かって放射状に円周等間隔に配設して主炎口部を形成し、
前記バーナボディより供給される混合ガスを噴出して旋回状に火炎を形成するバーナキャップと、
前記バーナキャップの外方に着脱自在に取り付け、
前記炎口側及び下方側に開口Ａ及び開口Ｂを有する空間部を形成した被覆体と、
前記被覆体の空間部に配設した点火電極と、
前記点火電極と対向する位置のバーナキャップの外方に配設した立ち消え安全装置の熱電素子部とを備え、
前記熱電素子部と対向するバーナキャップの外周壁には一端を他端面より突出させた断面を有する炎口を対向させて配置した補助炎口部を形成し、
前記補助炎口部は前記バーナボディより供給される混合ガスを噴出して衝突火炎を形成すると共に、
前記補助炎口部の略中間部に前記立ち消え安全装置の熱電素子部を配設したガスコンロ。
【請求項２】
前記補助炎口部を形成する炎口Ｂおよび炎口Ｃを備え、
前記炎口Ｂおよび炎口Ｃは、一端を他端面より突出させて形成した炎口面に平面部を設ける構成とした請求項１記載のガスコンロ。
【請求項３】
補助炎口部を形成する炎口Ｂと炎口Ｃの間に、前記炎口Ｂおよび炎口Ｃの噴出方向とは異なる方向に混合ガスを噴出する炎口Ｄを設けた請求項１または２に記載のガスコンロ。
【請求項４】
前記炎口Ｄは、前記炎口Ｄの火炎が炎口Ｂと炎口Ｃの形成する衝突火炎の中央に存在するように設けた請求項３に記載のガスコンロ。
【請求項５】
前記被覆体の前記空間部に対する位置に、凸状の放電ターゲットを形成し、前記バーナキ
ャップ上面に旋回状に噴出するガスの点火構成を有した請求項１から４のいずれか１項に記載のガスコンロ。
【発明の詳細な説明】
【技術分野】
【０００１】
本発明は、ガスコンロに搭載するコンロバーナに関し、特に、点火電極を用いた放電点火構成及び立消え安全装置を用いた燃焼検知構成に関するものである。
【背景技術】
【０００２】
従来この種のガスコンロにおける点火構成としては、図１１に示すように、コンロバーナ４１を有したガスコンロ４０において、コンロバーナ４１はバーナボディ４２上面に円周上に配置した主炎口４３を有し、円周の一部に点火炎口４４配置したバーナキャップ４５を載置して構成し、主炎口４３及び点火炎口４４に燃焼炎４６及び点火炎４７をもって燃焼させて調理加熱をおこなっていた。コンロバーナ４１は、バーナキャップ４５とバーナボディ４２とで点火電極４８を設ける点火空間４９を構成し、点火電極４８に対向したバーナキャップ４５に放電ターゲット５０を構成し、ガスコンロ４０にて点火操作がされると点火電極４８と放電ターゲット５０間で放電する構成としてあり、点火空間４９には点火炎口４４が開口して構成されたガスコンロ４０である（例えば、特許文献１参照）。
【０００３】
また、コンロバーナの構成としては、図１２に示すように、バーナキャップ４５の上面にスリット炎口５１を設け、火炎を上向きに噴き出すことで、熱効率の向上、省エネルギーに対処するコンロバーナ４１を搭載したガスコンロが開発されてきた（例えば、特許文献２参照）。
【０００４】
この特許文献２に記載されたガスコンロにおいては、点火構成に関する記載はないものの、立消え検知構成としては、図１２に示すように、バーナキャップ４５の主炎口４３と、バーナボディ４２と勘合して構成する円筒部の下方に位置するガスのシール部５２との間において、円周一部に凹部５３を設け、凹部５３の側面５４に燃焼確認用炎口５５を設けた構成である。燃焼確認用炎口５５の内方に立ち消え安全装置の熱電素子部５６を設け、燃焼確認用炎口５５に形成された検知用火炎５７にて熱電素子部５６が加熱されて起電力が発生し、起電力の有無で立ち消え安全装置が制御されてコンロバーナ４１の燃焼継続或いは停止ができるようになっている。５８はコンロバーナ４１の中央に設けた二次空気通過孔５８で、中央に温度センサ５９が設けられて被加熱物に上面が当接している。
【特許文献１】特開２０００−２８３４１５号公報
【特許文献２】特開２００１−２０１０１７号公報
【発明の開示】
【発明が解決しようとする課題】
【０００５】
しかしながら、前記特許文献１の構成では、円周上に主炎口４３が設けられて燃焼炎４６を形成するとともに、同じ円周上に点火炎口４４が設けられて点火炎４７が形成され、共にコンロバーナ４１の外周方向に向かって火炎が形成されて燃焼する。従って、ガスコンロ４０にて調理するために鍋等の被加熱物を加熱する場合、被加熱物の中心部分は燃焼炎４６等が存在しないので加熱されず、被加熱物の外側等が加熱されながら被加熱物の底面外周から側面を加熱しながら高温の燃焼ガスが流れる。このように被加熱物の底面外周
に沿って燃焼ガスが流れるため被加熱物等の側面に存在する取っ手等が高温となり、直接手で触ることが困難となり、調理作業面で使い勝手が悪いという課題を有していた。このような取っ手等の温度が高くなり過ぎないようにするために、被加熱物の側面に流れた燃焼ガスの温度を下げて安全なガスコンロ４０を提供するために特許文献２に示すようなコンロバーナ４１が提供された。
【０００６】
コンロバーナ４１を搭載したガスコンロ４０にあっては、被加熱物のより中心に燃焼炎が形成され加熱されるために被加熱物側面に至った時点での燃焼ガスの温度は被加熱物との間で熱交換しているので低いために被加熱物の取っ手等の温度が低くなることで安全なガスコンロが提供できるものであるが、点火構成に関する開示がなく、また、立消え検知構成では、コンロバーナ４１の中央に設けた二次空気通過孔５８に向けた側面５４に燃焼確認用炎口５５を設けて熱電素子部５６を加熱する構成にし、二次空気通過孔５８に温度センサ５９を設けたので、主炎口４３で燃焼が開始すると火炎が円周に沿って斜め上方に流れることにより旋回流が生じた状態で燃焼を継続しているために、火炎５７に供給される火炎周囲の二次空気も同様に旋回流状態を呈して火炎５７に流れ込んでいる。従って、燃焼確認用炎口５５が形成される領域にも空気の旋回流が生じているために、燃焼確認用炎口５５の火炎５７は周辺の旋回流の影響を受けて旋回流に吹き飛ばされることによって、消火するという不具合が生じる課題があった。
【０００７】
また、コンロバーナ４１の燃焼時に燃焼確認用炎口５５の燃焼炎４６は熱電素子部５６を加熱して立ち消え安全装置が正常に作動する一方で、二次空気通過孔５８に温度センサ５９を設けた場合、温度センサ５９も同時に加熱するために、温度センサ５９は本来被加熱物に接触して被加熱物の温度を検知してコンロバーナ４１の燃焼を制御する働きをするのに対して、被加熱物以外の部分から加熱される結果となるために被加熱物の温度が正確に検知できなくなる。従って、本コンロバーナ４１を搭載したコンロにあっては調理中の被加熱物の温度が正確に検知できず、被加熱物が異常に加熱された状態が生じたり、被加熱物の加熱が加熱されない状態で燃焼が停止したりする使い勝手の悪いコンロが提供されたりする課題があった。
【０００８】
本発明は上記従来の課題を解決すべく、バーナキャップの上面側に全ての炎口を形成したバーナを提案し、鍋底との距離を短くし、かつ、均一に加熱することで熱効率の向上を図ったものであり、特に、バーナキャップの上面側に全ての炎口を設けた構成における安定した着火性能を確保するとともに、吹き消えのない立消え検知構成を設けることで、省エネ・熱効率の向上を図りつつ、製造面で造りやすく、安価なガスコンロを提供することを目的とする。
【課題を解決するための手段】
【０００９】
上記課題を解決するために本発明のガスコンロは、
上面に開口を設けた環状頭部を有し供給されるガスと燃焼用空気を混合するバーナボディと、
前記バーナボディの環状頭部に着脱自在に取り付け、
一端を他端面より上方に突出させた断面形状を有する炎口Ａを中心側に向かって放射状に円周等間隔に配設して主炎口部を形成し、
前記バーナボディより供給される混合ガスを噴出して旋回状に火炎を形成するバーナキャップと、
前記バーナキャップの外方に着脱自在に取り付け、
前記炎口側及び下方側に開口Ａ及び開口Ｂを有する空間部を形成した被覆体と、
前記被覆体の空間部に配設した点火電極と、
前記点火電極と対向する位置のバーナキャップの外方に配設した立ち消え安全装置の熱電素子部とを備え、
前記熱電素子部と対向するバーナキャップの外周壁には一端を他端面より突出させた断面を有する炎口を対向させて配置した補助炎口部を形成し、
前記補助炎口部は前記バーナボディより供給される混合ガスを噴出して衝突火炎を形成すると共に、
前記補助炎口部の略中間部に前記立ち消え安全装置の熱電素子部を配設したものである。
【００１０】
上記発明によれば、バーナキャップの上面に形成した放射状の炎口からのガスは斜め上方に速度を有して噴出されるために、旋回流を形成してガスが噴出され、炎口に形成された燃焼炎は旋回燃焼を呈する。従って、旋回燃焼にて被加熱物を加熱すると、燃焼ガスは旋回流によって強制的に攪拌される現象が生じるので乱流状態になる。この乱流状態の燃焼ガスが被加熱物表面を流れるので被加熱物の表面と燃焼ガス間に生じる温度境界層が薄くなることで被加熱物と燃焼ガス間の熱伝達係数が大きくなる。よって、被加熱物に燃焼ガスから伝わる熱量が多くなる。以上のコンロバーナを搭載したガスコンロにあっては、熱効率の高い省エネのガスコンロが提供できるのである。
【００１１】
また、旋回流が生じることで、旋回流の周囲の空気にも旋回流によって誘発された旋回現象が生じているので、燃焼時に燃焼炎と燃焼用二次空気間の拡散係数が大きくなり、燃焼炎に十分な二次空気供給がなされて完全燃焼がえられる。この完全燃焼によって一酸化炭素等が発生しない安全なガスコンロが提供できるのである。
【００１２】
さらに、バーナキャップの外方に一端を炎口側に開口した開口Ａと他端を炎口の外方の下方に開口した開口Ｂを有する空間部を設けた被覆体を配設し、前記空間部に点火電極を内包して該空間部に点火電極からの放電ターゲットを形成して点火部を構成してもよい。バーナキャップ上面の炎口から噴出したガスは斜め上方に速度を有して噴出されるため旋回流を呈する。この旋回流の一部はバーナキャップ外方の部分で旋回流によって生じている遠心力にてバーナキャップの外径よりも外側にはみ出して旋回している。従って、バーナキャップの外径よりも外側にはみ出して旋回している旋回流の一部は、バーナキャップの外周壁と被覆体で構成した空間部に流れ込む。このような旋回流が生じている状態で点火電極から放電ターゲットに向けて放電すると、放電空間部に旋回流で流れ込んでいるガスが存在するので確実に点火されて燃焼を開始する。また、点火電極は空間部を構成した被覆体にて上方を覆われているために、被加熱物等から調理中に煮汁等が飛散したり零れたりしても、濡れたり或いは汚れたりすることがなくなるので、電気的なリークが生じることなく確実に放電するので確実な点火による使い勝手の良いガスコンロが提供できるのである。
【００１３】
また、上記点火構成により点火されてバーナキャップの上面に旋回状の主火炎を形成する形態のコンロバーナにおいて、前記バーナキャップの外周壁適所には一端を他端面より突出させた断面を有する炎口Ａを対向させて配置した補助炎口部を形成し、前記バーナボディより供給される混合ガスを噴出して衝突火炎を形成すると共に、前記補助炎口部の略中間部に立ち消え安全装置の熱電素子部を配設してもよい。炎口Ｂからバーナキャップの外周の円周方向にガスが噴出し、炎口Ｃからは炎口Ｂから噴出したガスとは反対方向の円周方向に噴出する。従って、炎口Ｂから噴出したガスと炎口Ｃから噴出したガスは、炎口Ｂと炎口Ｃ間の略中間部で衝突した流れ状態になる。よって、炎口Ｂと炎口Ｃにて燃焼が開始されると燃焼時に形成される火炎は炎口Ｂと炎口Ｃ間に衝突火炎を形成する。
【００１４】
同時に主炎口にて旋回流を呈して燃焼が継続されてコンロバーナ周辺には二次空気の旋回流が生じているために、衝突火炎も旋回流の中に形成されているために吹き飛ばされるように旋回流が作用するが、炎口Ｃからのガスが炎口Ｂからの噴出方向とは逆方向に噴出されているために旋回流に対向した流れで旋回流の力と均衡状態になることで衝突火炎は吹き飛ばされることなく安定した燃焼を継続することで、立ち消え安全装置の熱電素子部
は安定して衝突火炎で加熱されることとなる。従って、使用中に立ち消えしたりする不具合が生じない使い勝手の良好なコンロが提供できるものである。
【００１５】
また、バーナキャップの中心に向かって放射状円周等間隔に、一端を他端面より上方に突出させた断面の炎口Ａを設け、その炎口部の両端には平面部を設けて炎口寸法のばらつきを少なくする形状とし、炎口部を含めすべてプレス加工できる構成にしてもよい。これにより造りやすく安価なものとなる。
【００１６】
また、主炎口部は火炎が斜め上向きとなることにより、円周方向へ噴き出す力と、排気熱が上方向からさらに鍋底を伝って排出される力により旋回流が生じて、中央の二次空気通過孔よりより多くの二次空気を吸引することができ良好な燃焼が得られる。さらには鍋底とバーナ間を近づけることができ省エネ・熱効率を向上させることができる。
【発明の効果】
【００１７】
本発明のガスコンロは、熱効率を向上させた省エネルギーで煮汁等こぼれに強い、確実な点火性能を有するとともに、前記バーナキャップの外周壁に沿って衝突火炎を形成し、その火炎中に立ち消え安全装置の熱電素子部を配設したことにより、立ち消えのない安定した燃焼検知を行うことができ、使い勝手の良いガスコンロを提供することができる。
【発明を実施するための最良の形態】
【００１８】
第１の発明は、
上面に開口を設けた環状頭部を有し供給されるガスと燃焼用空気を混合するバーナボディと、
前記バーナボディの環状頭部に着脱自在に取り付け、
一端を他端面より上方に突出させた断面形状を有する炎口Ａを中心側に向かって放射状に円周等間隔に配設して主炎口部を形成し、
前記バーナボディより供給される混合ガスを噴出して旋回状に火炎を形成するバーナキャップと、
前記バーナキャップの外方に着脱自在に取り付け、
前記炎口側及び下方側に開口Ａ及び開口Ｂを有する空間部を形成した被覆体と、
前記被覆体の空間部に配設した点火電極と、
前記点火電極と対向する位置のバーナキャップの外方に配設した立ち消え安全装置の熱電素子部とを備え、
前記熱電素子部と対向するバーナキャップの外周壁には一端を他端面より突出させた断面を有する炎口を対向させて配置した補助炎口部を形成し、
前記補助炎口部は前記バーナボディより供給される混合ガスを噴出して衝突火炎を形成すると共に、
前記補助炎口部の略中間部に前記立ち消え安全装置の熱電素子部を配設したことを特徴とするものである。
【００１９】
これにより、バーナキャップ上面側に熱効率の高い旋回火炎を形成することができると共に、旋回流を形成して噴出するガスの噴出形態を利用した確実な点火構成が確保でき、さらに、バーナキャップの外周壁に形成した補助炎口部の衝突火炎により吹き消え現象がなく安定して熱電素子部の加熱継続で、確実な燃焼検知を行うことができる。
【００２０】
第２の発明は、前記補助炎口部を形成する炎口Ｂおよび炎口Ｃを備え、前記炎口Ｂおよび炎口Ｃは、一端を他端面より突出させて形成した炎口面に平面部を設ける構成とした請求項１記載のガスコンロ。
【００２１】
これにより、炎口面に平面部を設けた炎口Ｂ及び炎口Ｃで補助炎口部を構成しているた
めに、噴出するガスの流れ方向が規制されるので平行部に沿ってガスをバーナキャップの外周の接線方向に噴出する。従って、両炎口から噴出して得られた衝突火炎は衝突点がバーナキャップの外周近傍に存在するので、衝突点とバーナキャップ外周壁間に負圧領域が形成され、コアンダ効果でより安定した衝突火炎が得られるとともに、安定した熱電素子の加熱が得られる。
【００２２】
また、プレス加工時、平面部を金型に当てて、バラツキの少ないスリット巾寸法を有する炎口Ｂと炎口Ｃが得られる。
【００２３】
第３の発明は、補助炎口部を形成する炎口Ｂと炎口Ｃの間に、前記炎口Ｂおよび炎口Ｃの噴出方向とは異なる方向に混合ガスを噴出する炎口Ｄを設けたものである。
【００２４】
第４の発明は、前記炎口Ｄは、前記炎口Ｄの火炎が炎口Ｂと炎口Ｃの形成する衝突火炎の中央に存在するように設けたものである。
【００２５】
これにより、バーナキャップの外周壁に沿って形成される衝突火炎の略中間部に前記バーナキャップの外周壁から外方に向かって火炎が形成されて燃焼することになるため、補助炎口部における全体の火炎ボリュウムが大きくなり、より熱電素子部が加熱されやすくなると同時に熱電素子の位置が組み立てバラツキで多少位置ズレしても、大きな火炎にて加熱されるので安定した立ち消え安全装置の性能が得られる。
【００２６】
また、ガスコンロ使用時にコンロバ−ナの燃焼量が調整されて火炎が小さくなってもガス量が多く噴出している状態からの変化であるために消炎してしまうことがなく熱電素子の加熱が継続されるので、ガスコンロが消火することなく安心して使用できる。
【００２７】
第５の発明は、前記被覆体の前記空間部に対する位置に、凸状の放電ターゲットを形成し、前記バーナキャップ上面に旋回状に噴出するガスの点火構成を有した請求項１から３のいずれか１項に記載のガスコンロ。
【００２８】
これにより、点火電極と放電ターゲット間の放電空間がよりガスが噴出される炎口に近くで構成されるので、放電時に放電空間に旋回流を呈しているガスが確実に存在するので確実な点火性能がえられる。
【００２９】
以下、本発明の実施の形態について、図面を参照しながら説明する。なお、本実施例の形態によって本発明が限定されるものではない。
【００３０】
（実施の形態１）
図１は、本発明の第１の実施の形態におけるガスコンロの燃焼部の断面図を示し、図２は本発明の燃焼部を搭載したガスコンロを示すものである。図３は燃焼部の上面図、図４は燃焼部の点火部の拡大断面図、図５は炎口の拡大断面図を示すものである。
【００３１】
また、図６はバーナキャップの外周壁に形成した補助炎口部を構成する炎口Ｂと炎口Ｃの関係を示す図、図７は補助炎口部の断面を示す図、図８はＢ−Ｂ断面図を示すものである。
【００３２】
図において、１はガスコンロでコンロバーナ２を有し、コンロバーナ２は、上面に開口を設けた環状頭部を有し供給されるガスと燃焼用空気を混合するバーナボディ３と、このバーナボディ３に嵌合搭載されるバーナキャップ４で構成され、該バーナキャップ４は、ステンレス材等でプレス加工し、ガスシール部は中央の二次空気通過孔５の円筒部６、外周の円筒部７の２ヶ所で構成されている。バーナボディ３にはバーナキャップ４が載置さ
れて二次空気通過孔５が構成されている。また、バーナキャップ４の上面側には一端を他端面より上方に突出させた断面形状を有する炎口Ａ８を中心側に向かって放射状に円周等間隔に配設して主炎口部８Ａを形成しており、炎口Ａ８の形状は、一端９を他端面１０より上方に突出させた形状でプレス加工にて炎口スリット巾１２を形成し、炎口スリット巾１２のガス噴き出しが斜め上方を向くようにしたものである。火炎が円周に沿って斜め上方に流れることにより旋回流が起こり、バーナキャップ４の中央の二次空気通過孔５より二次空気の吸引して供給することにより、最適な良好燃焼が得られる。
【００３３】
また、炎口部は火炎が斜め上向きとなることにより、円周方向へ噴き出す力と、排気熱が上方向からさらに鍋底を伝って排出される力により旋回流が生じて、中央二次空気通過孔５よりより多くの二次空気を吸引することができ良好な燃焼を得ることができる。したがって、被加熱物底とコンロバーナ２間距離を近づけることができ省エネ・熱効率を向上させることができる。
【００３４】
また、バーナキャップ４の外方１３に被覆体１４が設けられてバーナキャップ４の外周壁１５との構成で炎口Ａ８の外方１３に開口Ａ１６と外方１３の下方に開口Ｂ１７を有した空間部１８を構成し、空間部１８に点火電極１９を設けて点火電極１９に対応した空間部１８の上方に位置する部分で空間部１８に面する表面の被覆体１４に空間部１８に対して凸状の放電ターゲット３７を構成して点火部３４が構成されてガスコンロ１の燃焼部３５が構成されている。３６はガスコンロ１のゴトクで被加熱物２４が載せられて調理等に使用される。
【００３５】
これにより、ガスコンロ１の操作部が点火操作されるとコンロバーナ２のバーナキャップ４の炎口Ａ８を炎口スリット巾１２で構成したから、炎口Ａ８からのガスの噴出は斜め上方を向くようになる。この斜め上方噴出したガスが円周に沿って斜め上方に流れることにより旋回流が起こる。同時に、炎口Ａ８からのガスは斜め上方に速度を有しているために、旋回流の一部はバーナキャップ４の外方１３の部分で旋回流によって生じている遠心力にてバーナキャップ４の外径よりも外側にはみ出して旋回している。従って、バーナキャップ４の外径よりも外側にはみ出して旋回している旋回流の一部は、バーナキャップ４の外周壁１５と被覆体１４で構成した空間部１８に開口Ａ１６から流れ込む状態で旋回している。このような旋回流が生じている状態で点火電極１９から放電ターゲット３７に向けて放電すると、開口Ａ１６から空間部１８に旋回流で流れ込んでいるガスが存在するので確実に点火されて燃焼を開始する。燃焼は中央の二次空気通過孔５より二次空気の吸引して供給することにより、最適な良好燃焼が得られる。
【００３６】
また、炎口Ａ８は火炎が斜め上向きとなることにより、円周方向へ噴き出す力と、排気熱が上方向からさらに被加熱物２４の底を伝って排出される力により旋回流が生じて、中央の二次空気通過孔５よりより多くの二次空気を吸引することができ良好な燃焼を得ることができる。従って、旋回燃焼にて被加熱物を加熱すると、燃焼ガスは旋回流によって強制的に攪拌される現象が生じるので乱流状態になる。この乱流状態の燃焼ガスが被加熱物２４表面を流れるので被加熱物２４の表面と燃焼ガス間に生じる温度境界層が薄くなることで被加熱物２４と燃焼ガス間の熱伝達係数が大きくなる。よって、被加熱物２４に燃焼ガスから伝わる熱量が多くなる。以上のコンロバーナ２を搭載したガスコンロ１にあっては、熱効率の高い省エネのガスコンロ１が提供できるのである。また、攪拌によって良好な燃焼が得られているので、被加熱物２４底とコンロバーナ２間距離を近づけることができ省エネ・熱効率を向上させることができる。
【００３７】
また、点火電極１９は空間部１８を構成した被覆体１４にて上方を覆われているために、被加熱物２４等から調理中に煮汁等が飛散したりこぼれたりしても、濡れたり或いは汚れたりすることがなくなるので、電気的なリークが生じることなく確実に放電するので確
実な点火による使い勝手の良いガスコンロ１が提供できるのである。
【００３８】
また、点火されるまでは空間部１８にガスの一部が流入しているが点火と同時に炎口に形成される燃焼炎の燃焼速度或いは燃焼用空気量との関係で燃焼炎はバーナキャップ４の外方１３にはみ出す現象はないので被覆体１４が燃焼炎で直接加熱されることがないので、ガスコンロ１全体の温度上昇もなく燃焼熱のロスも少ない安全で経済的なガスコンロが提供できる。
【００３９】
以上のように、本実施の形態におけるガスコンロは、バーナキャップの上面側に全ての炎口を設けた構成において安定した着火性能を確保することができる点火構成を提供するものである。
【００４０】
図において、バーナキャップ４の外周壁１５には、一端９を他端面１０より外方１３に突出させた断面を有した炎口Ｂ３０と炎口Ｃ３１を相対向させて配設した補助炎口部２８を形成し、この炎口Ｂ３０と炎口Ｃ３１の略中間部に立ち消え安全装置２０の熱電素子部２０Ａを設ける構成としてある。
【００４１】
これにより、炎口Ｂ３０と炎口Ｃ３１から噴出したガスの衝突現象が起こる。この衝突現象にて生じた衝突火炎２１が形成されることで旋回流に対抗した安定した衝突火炎２１にて立ち消え安全装置２０の熱電素子部２０Ａが加熱されるので衝突火炎２１の吹き飛ばされによる熱電素子部２０Ａの加熱されない状態が生じることがない。よって、立ち消えのない使い勝手のよいガスコンロ１が提供できる。
【００４２】
（実施の形態２）
図９は本発明の第２の実施の形態の炎口Ｂ及びＣの断面図である。尚、実施の形態１と同等の機能及び作用するものには同一番号を附し説明は省略する。
【００４３】
図において、バーナキャップ４の炎口Ｂ３０と炎口Ｃ３１の一端２２及び他端２３に平面部２５を設けたスリット幅２９形状にしたコンロバーナ２を有したガスコンロ１である。
【００４４】
これにより、炎口Ｂ３０及び炎口Ｃ３１を構成する出口を構成する両端は互いに平面部２５を有しているために、流れ方向が規制されるので平面部２５に沿ってガスをバーナキャップ４の外周２６の接線方向に噴出する。従って、両炎口から噴出して得られた衝突火炎２１は衝突点２７をバーナキャップ４の外周２６近傍に存在するので、衝突点２７とバーナキャップ４外周壁間に負圧領域が形成されるのでコアンダ効果生じてより安定した衝突火炎２１が得られるのでより安定した熱電素子部２０Ａの加熱が得られる。
【００４５】
またプレス加工時、平面部２５を金型に当ててバラツキの少ないスリット幅２９寸法を有する炎口Ｂ３０及び炎口Ｃ３１が得られる。
【００４６】
（実施の形態３）
図１０は、本発明の第３の実施の形態の熱電素子部を加熱する炎口構成状態を示す図である。尚、他の実施の形態と同等の機能及び作用するものには同一番号を附し説明は省略する。
【００４７】
バーナキャップ４の外周壁１５に形成した炎口Ｂ３０と炎口Ｃ３１の間に、前記炎口Ｂ３０および炎口Ｃ３１の噴出方向とは異なる方向に混合ガスを噴出する炎口Ｄ３２設けたコンロバーナ２を有したガスコンロ１である。
【００４８】
これにより、炎口Ｂ３０と炎口Ｃ３１にて形成された衝突火炎２１の中央に炎口Ｄ３２に形成された火炎が存在して燃焼しているので、全体の火炎ボリュウムが大きくなりより熱電素子部２０Ａが加熱されやすくなると同時に熱電素子の位置が組み立てバラツキで多少位置ズレしても火炎にて加熱されるので安定した立ち消え安全装置性能が得られる。また、ガスコンロ使用時にコンロバ−ナの燃焼量が調整されて火炎が小さくなってもガス量が多く噴出している状態からの変化であるために消炎してしまうことがなく熱電素子の加熱が継続されるので、ガスコンロが消火することなく安心して使用できる。
【産業上の利用可能性】
【００４９】
以上のように、本発明にかかるガスコンロは、確実な点火と良好な燃焼が得られるとともに、安定した立消え検知性能で、安全な使い勝手の良い調理器等の用途にも適用できる。
【図面の簡単な説明】
【００５０】
【図１】本発明の実施形態１におけるガスコンロの燃焼部の断面図
【図２】同コンロバーナを搭載したガスコンロ外観図
【図３】同コンロの燃焼部の上面図
【図４】同コンロの点火部の拡大断面図
【図５】同コンロの炎口の拡大断面図
【図６】同コンロの外周壁に形成した補助炎口部を構成する炎口Ｂ，Ｃの関係を示す図
【図７】同コンロの補助炎口部の断面図
【図８】同コンロの補助炎口部のＢ−Ｂ断面図
【図９】本発明の実施の形態２における炎口Ｂ及びＣの断面図
【図１０】本発明の実施の形態３における熱電素子部を加熱する炎口構成状態を示す図
【図１１】従来のコンロバーナの側面断面図
【図１２】従来の他のコンロバーナの側面断面図
【符号の説明】
【００５１】
１  ガスコンロ
３  バーナボディ
４  バーナキャップ
８  炎口Ａ
８Ａ  主炎口部
１４  被覆体
１５  外周壁
１６  開口Ａ
１７  開口Ｂ
１８  空間部
１９  点火電極
２０  立ち消え安全装置
２０Ａ  熱電素子部
２１  衝突火炎
２５  平面部
２８  補助炎口部
３０  炎口Ｂ
３１  炎口Ｃ
３２  炎口Ｄ
【図２】
0004654836.tif 000002
【図３】
0004654836.tif 000003
【図５】
0004654836.tif 000004
【図６】
0004654836.tif 000005
【図７】
0004654836.tif 000006
【図９】
0004654836.tif 000007
【図１１】
0004654836.tif 000008
【図１２】
0004654836.tif 000009
【図１】
0004654836.tif 000010
【図４】
0004654836.tif 000011
【図８】
0004654836.tif 000012
【図１０】
0004654836.tif 000013